(57)【要約】      （修正有）【課題】育苗段階で萎凋細菌病抵抗性を有する個体を安定的、かつ効率的に選抜するために、萎凋細菌病抵抗性遺伝子マーカーを獲得し、それを用いた選抜方法を確立すること。【解決手段】カーネーションより抽出したＤＮＡを鋳型とし、カーネーション由来の特定のオリゴヌクレオチド単独、又は、複数の特定オリゴヌクレオチドの組み合わせでポリメラーゼ連鎖反応によるＤＮＡの増幅を行い、得られた増幅産物を電気泳動分析することを特徴とする萎凋細菌病抵抗性を有するカーネーションの識別方法を提供すること。【選択図】  なし【特許請求の範囲】
【請求項１】
配列表の配列番号２に記載の塩基配列からなるオリゴヌクレオチド。
【請求項２】
配列表の配列番号３に記載の塩基配列からなるオリゴヌクレオチド。
【請求項３】
配列表の配列番号４に記載の塩基配列からなるオリゴヌクレオチド。
【請求項４】
配列表の配列番号５に記載の塩基配列からなるオリゴヌクレオチド。
【請求項５】
配列表の配列番号６に記載の塩基配列からなるオリゴヌクレオチド。
【請求項６】
配列表の配列番号７に記載の塩基配列からなるオリゴヌクレオチド。
【請求項７】
カーネーションより抽出したＤＮＡを鋳型とし、請求項１記載のオリゴヌクレオチド単独、又は、請求項２記載のオリゴヌクレオチドと請求項３記載のオリゴヌクレオチド、請求項２記載のオリゴヌクレオチドと請求項６記載のオリゴヌクレオチド、請求項４記載のオリゴヌクレオチドと請求項６記載のオリゴヌクレオチド、請求項４記載のオリゴヌクレオチドと請求項３記載のオリゴヌクレオチド若しくは請求項５記載のオリゴヌクレオチドと請求項６記載のオリゴヌクレオチドの組み合わせでポリメラーゼ連鎖反応によるＤＮＡの増幅を行い、得られた増幅産物を電気泳動分析することを特徴とする萎凋細菌病抵抗性を有するカーネーションの識別方法。
【請求項８】
請求項７に記載の識別方法により、萎凋細菌病抵抗性を有するカーネーション個体を選抜する方法。
【発明の詳細な説明】
【０００１】
【発明の属する技術分野】
本発明は、カーネーションの選抜に用いるオリゴヌクレオチドおよびその利用法に関し、詳しくは特定の塩基配列を有するオリゴヌクレオチド並びに該オリゴヌクレオチドを用いるＤＮＡ分析によってカーネーション個体を識別する方法と該識別方法により育苗段階で萎凋細菌病抵抗性のカーネーション個体を選抜する方法に関する。
【０００２】
【従来の技術】
カーネーション萎凋細菌病は、夏の高温期に発病が多発する立ち枯れ性の土壌伝染病害であり、日本の温暖地でのカーネーション栽培上最も被害が大きく、重要な病害とされている（非特許文献１および２）。
発病は、土壌中の病原細菌が定植時の断根や植えいたみなどによる根の傷口から侵入し、茎の導管内で増殖して水分通導を阻害するために起こる。被害株は急激に萎凋し、青枯れ症状を呈して枯死する。
本病原菌に対し卓効を示す防除薬剤はない。そのため、発病株を発見した場合は、直ちにこれを隣接株をも含めて除去して周辺株への伝播防止に努め、被害の拡大を防ぐことが行われてきた。このように、発生してからでは的確な防除法がないので、現場ではベンチ栽培、土壌消毒の徹底、無病苗の利用等によって発病の回避を図ってきた（非特許文献３）。
それにもかかわらず土壌消毒の不徹底などが原因で多発生が報告され、問題となっている。このような背景から、本病に対する抵抗性品種開発が強く望まれている。
抵抗性育種を進めるためには、抵抗性個体の効率的な選抜法の確立が不可欠である。そこで、本発明者らは浸根接種による抵抗性の簡易検定法を開発し、この方法を用いて実生の抵抗性を判定し、育種を行ってきた（非特許文献４）。
【０００３】
しかし、この方法では検定に必要な数の挿し芽を得るために、約半年間は実生を生育させる必要があり、さらに抵抗性を判定するには、接種から３か月という時間を要する。また、大量の個体数を扱うには、大きな労力を必要とする。このため、育苗段階の幼苗時に萎凋細菌病抵抗性を有する個体を安定的、かつ効率的に選抜する方法の開発が望まれていた。
【０００４】
【非特許文献１】
農業および園芸、４８：６９６−７００（１９７３）
【非特許文献２】
農業および園芸、５５：８０１−８０２（１９８０）
【非特許文献３】
関東東海病害虫研究会年報、３１：８６−８９（１９８４）
【非特許文献４】
農業および園芸、６８：１２１３−１２１９（１９９３）
【０００５】
【発明が解決しようとする課題】
本発明の目的は、育苗段階で萎凋細菌病抵抗性を有する個体を安定的、かつ効率的に選抜するために、萎凋細菌病抵抗性遺伝子マーカーを獲得し、それを用いた選抜方法を確立することである。
そこで、本発明者は任意の配列を持つ合成オリゴヌクレオチドを用いたポリメラーゼ連鎖反応（ＰＣＲ）により、植物ＤＮＡを分析する方法を用い、萎凋細菌病抵抗性カーネーション選抜に有効な遺伝子マーカーの獲得に成功した。この遺伝子マーカーを用いることにより、育種過程で萎凋細菌病抵抗性個体を効率的に選抜できる。
【０００６】
【課題を解決するための手段】
請求項１に記載の本発明は、配列表の配列番号２に記載の塩基配列からなるオリゴヌクレオチドである。
請求項２に記載の本発明は、配列表の配列番号３に記載の塩基配列からなるオリゴヌクレオチドである。
請求項３に記載の本発明は、配列表の配列番号４に記載の塩基配列からなるオリゴヌクレオチドである。
請求項４に記載の本発明は、配列表の配列番号５に記載の塩基配列からなるオリゴヌクレオチドである。
請求項５に記載の本発明は、配列表の配列番号６に記載の塩基配列からなるオリゴヌクレオチドである。
請求項６に記載の本発明は、配列表の配列番号７に記載の塩基配列からなるオリゴヌクレオチドである。
【０００７】
請求項７に記載の本発明は、カーネーションより抽出したＤＮＡを鋳型とし、請求項１記載のオリゴヌクレオチド単独、又は、請求項２記載のオリゴヌクレオチドと請求項３記載のオリゴヌクレオチド、請求項２記載のオリゴヌクレオチドと請求項６記載のオリゴヌクレオチド、請求項４記載のオリゴヌクレオチドと請求項６記載のオリゴヌクレオチド、請求項４記載のオリゴヌクレオチドと請求項３記載のオリゴヌクレオチド若しくは請求項５記載のオリゴヌクレオチドと請求項６記載のオリゴヌクレオチドの組み合わせでポリメラーゼ連鎖反応によるＤＮＡの増幅を行い、得られた増幅産物を電気泳動分析することを特徴とする萎凋細菌病抵抗性を有するカーネーションの識別方法である。
請求項８に記載の本発明は、請求項７に記載の識別方法により、萎凋細菌病抵抗性を有するカーネーション個体を選抜する方法である。
【０００８】
【発明の実施の形態】
以下に本発明を詳細に説明する。
任意の配列を持つオリゴヌクレオチドを用いたＰＣＲにより得られるＤＮＡ多型は、ＲＡＰＤ（Ｒａｎｄｏｍ  Ａｍｐｌｉｆｉｅｄ  Ｐｏｌｙｍｏｒｐｈｉｃ  ＤＮＡ）とも言われ、用いるオリゴヌクレオチドの種類を変えることにより、容易に、かつ数多く得ることができ、このＤＮＡ多型を示すバンドそのものが遺伝子マーカーとなり得る。
この手法は、対象とする生物より抽出されたＤＮＡを鋳型としてＰＣＲによる増幅を行い、増幅されたＤＮＡの分析により簡単に種々の生物におけるＤＮＡ多型を得る方法であり、これまで遺伝解析や品種・個体の識別、さらにはＦ１種子の純度検定等に用いられてきた。
【０００９】
本発明者らは、この手法を萎凋細菌病抵抗性カーネーションの選抜に利用するため、萎凋細菌病抵抗性カーネーションと、り病性カーネーションを交雑し、その後代から抵抗性の系統からり病性の系統までを含む抵抗性分離集団を得た。さらに、選抜に有効な遺伝子マーカーを得るため、これらの系統について４６５種類のランダムプライマー（１２ｍｅｒ）を供試してＤＮＡ多型を示す合成オリゴヌクレオチドの検索を行った。すなわち、萎凋細菌病抵抗性カーネーションと、り病性カーネーションの交配は、自然交雑を防ぐために開花２〜３日前に種子親の花蕾の除雄を行い、袋がけするとよい。除雄後４〜７日目の成熟した雌ずいに花粉親の花粉を付着させるため人工授粉を行ったのち、再び袋がけする。その後、約２か月経過してから結実程度を調査し、採種を行う。得られた種子を市販の混合用土（メトロミックス３５０）等に播種し、発芽させる。発芽後約１か月経過してから、温室内栽培ベッドに定植して生育させる。
このようにして得られた抵抗性分離集団１３４系統について、萎凋細菌病の浸根接種による抵抗性検定を行う。抵抗性検定は通常２〜３回行えば十分であるが、本発明者らは、カーネーションの産地の異なる病原細菌２菌株を用いて合計８回行った。このように多数回行うことにより、より精度の高い結果を得ることが可能である。
【００１０】
浸根接種による抵抗性検定法は、次の通りである。
冷凍保存した萎凋細菌病菌を解凍し、ＰＳＡ培地、次いでＰＳ培地にて培養後、菌濃度が１０８ＣＦＵ／ｍｌオーダーになるように希釈して接種液とする。ここで、カーネーションの主な産地としては、長野県、愛知県、兵庫県、千葉県等が挙げられる。また、該カーネーションに係る萎凋細菌病菌は、学名をＢｕｒｋｈｏｌｄｅｒｉａ  ｃａｒｙｏｐｈｙｌｌｉといい、例えばｉｓｏｌａｔｅ  １（農業環境技術研究所より入手した品種‘初霜’より分離した菌株）、ｉｓｏｌａｔｅ  ２（千葉県農業総合研究センター暖地園芸研究所より入手した千葉県館山市の発病株由来の菌株）、ｉｓｏｌａｔｅ  ３（千葉県農業総合研究センター暖地園芸研究所より入手した神奈川県秦野市の発病株由来の菌株）、ｉｓｏｌａｔｅ  ４（兵庫県立淡路農業技術センターより入手した淡路島仮屋の発病株由来の菌株）、ｉｓｏｌａｔｅ  ５（兵庫県立淡路農業技術センターより入手した淡路島安乎の発病株由来の菌株）、ｉｓｏｌａｔｅ  ６（花き研究所生産利用部病害制御研究室より入手した兵庫県淡路島東浦の発病株由来の菌株）等があり、このうち２菌株以上を用いることが好ましい。
供試材料の挿し芽を発根培地（例えば、砂：パーライト＝１：１）にて発根させ、発根苗の根部を接種液に室温条件で３０分間浸漬して浸根接種を行う。接種後、苗を土壌消毒済みの検定ベッドに定植して、発病に好適な地温である３０℃の維持に努め、接種から９１日後（１３週後）の発病率を調査する。
供試材料の葉からＤＮＡを抽出し、４６５種類のランダムプライマー（１２ｍｅｒ）を供試して、ＲＡＰＤ法で抵抗性に関与するマーカーバンドを探索した結果、プライマーとしてのオリゴヌクレオチドＷＧ４４（配列表の配列番号２参照）によって得られる１０４３ｂｐの増幅産物（ＲＡＰＤのＤＮＡバンド）が、萎凋細菌病抵抗性カーネーションの選抜に有効であることを究明した。
【００１１】
ＲＡＰＤマーカーは再現性にやや問題があると言われている。そこで、本発明者らは、上記のオリゴヌクレオチドＷＧ４４によって得られる１０４３ｂｐの増幅産物の塩基配列を決定し、更に再現性が高く単一のバンドが得られるオリゴヌクレオチドプライマーの設計を行った。
即ち、上記の１０４３ｂｐの増幅産物をアガロースゲル電気泳動により分離し、目的の増幅ＤＮＡ断片を切り出し、精製した。これを適当なベクターに連結し、大腸菌に形質転換を行った。ブルー・ホワイトセレクションにより約１０個のコロニーをピックアップし、さらにそのＤＮＡとプライマーＷＧ４４を用いたＰＣＲにより増幅される断片の制限酵素処理を行い、バンドパターンの観察によって目的断片がインサートされていると思われるコロニーを選抜した。これを培養し、さらにプラスミドを分離精製した後、挿入断片１０４３ｂｐの塩基配列を決定した（配列表の配列番号１参照）。
【００１２】
この配列表の配列番号１に記載の塩基配列からなるポリヌクレオチドを基に設計してなるオリゴヌクレオチド、好ましくは全長１５〜２５塩基、より好ましくは全長１８〜２２塩基のオリゴヌクレオチドは、萎凋細菌病抵抗性カーネーションの選抜に用いることができる。なお、上述のオリゴヌクレオチドＷＧ４４（配列表の配列番号２参照）は、配列表の配列番号１に記載の塩基配列の５´末端の一部の塩基配列からなり、配列表の配列番号１に記載の塩基配列からなるポリヌクレオチドから設計することができるものである。
そこで、本発明者らは、その塩基配列（配列表の配列番号１参照）を基に新たにオリゴヌクレオチドプライマーを設計した。設計は、プライマー設計プログラム（ｐｒｉｍｅｒ  ３、ＯＬＩＧＯ、Ｐｒｉｍｅｒ  Ｓｅｌｅｃｔｉｏｎ等）を用いて行うことができる。
その結果、本発明者らは、４４−Ｆ８０（配列表の配列番号３参照）、４４−Ｒ７５８（配列表の配列番号４参照）、４４−Ｆ２（配列表の配列番号５参照）、４４−Ｆ５１（配列表の配列番号６参照）及び４４−Ｒ７５７（配列表の配列番号７参照）の５種類のオリゴヌクレオチドを設計することができた。
【００１３】
前述のＲＡＰＤマーカーであるオリゴヌクレオチドＷＧ４４（配列表の配列番号２参照）、並びに、上記の５種類のオリゴヌクレオチド４４−Ｆ８０、４４−Ｒ７５８、４４−Ｆ２、４４−Ｆ５１及び４４−Ｒ７５７の計６種類のオリゴヌクレオチドは、特定の組み合わせで用いることにより、萎凋細菌病抵抗性を有するカーネーションの識別に用いることができる。
即ち、カーネーションより抽出したＤＮＡを鋳型とし、ＷＧ４４単独、又は、４４−Ｆ８０と４４−Ｒ７５８、４４−Ｆ８０と４４−Ｒ７５７、４４−Ｆ２と４４−Ｒ７５７、４４−Ｆ２と４４−Ｒ７５８若しくは４４−Ｆ５１と４４−Ｒ７５７の組み合わせでポリメラーゼ連鎖反応によるＤＮＡの増幅を行い、得られた増幅産物を電気泳動分析することにより、萎凋細菌病抵抗性を有するカーネーションを識別することができる。しかも、得られる増幅産物は、効率的に萎凋細菌病抵抗性を有するカーネーション個体を選抜するためのマーカーとなりうるものである。
【００１４】
特に、４４−Ｆ８０、４４−Ｒ７５８、４４−Ｆ２、４４−Ｆ５１及び４４−Ｒ７５７の５種類のオリゴヌクレオチドを、４４−Ｆ８０と４４−Ｒ７５８、４４−Ｆ８０と４４−Ｒ７５７、４４−Ｆ２と４４−Ｒ７５７、４４−Ｆ２と４４−Ｒ７５８若しくは４４−Ｆ５１と４４−Ｒ７５７の組み合わせでポリメラーゼ連鎖反応によるＤＮＡの増幅を行い、得られた増幅産物を電気泳動分析すると、得られるＤＮＡ増幅産物は単一バンドとなり、ＲＡＰＤマーカーであるプライマーＷＧ４４を用いた場合に比べ信頼性が増すとともに、ＤＮＡバンドの有無の識別が非常に容易になるので、好ましい。
【００１５】
本発明者らは、上記５種類のオリゴヌクレオチドを、上記特定の組合せで用いた場合に萎凋細菌病抵抗性を有するカーネーションを識別できることを確認した。即ち、後述の実施例に示すように、カーネーションより抽出したＤＮＡを鋳型として、ｄＮＴＰｓ、上述の各オリゴヌクレオチドおよびＤＮＡポリメラーゼを加えた反応液を作製し、ＰＣＲを実施した。増幅産物についてアガロースゲル中で電気泳動を行った結果、ＤＮＡ増幅産物は単一バンドとなり、ＲＡＰＤマーカーであるオリゴヌクレオチドＷＧ４４を用いた場合に比べ信頼性が増すとともに、ＤＮＡバンドの有無の識別が非常に容易になることが明らかとなった。
なお、本発明のオリゴヌクレオチドは、市販のＤＮＡ／ＲＮＡ合成機を使用して合成することができる。
【００１６】
【実施例】
次に、本発明を実施例により詳しく説明するが、本発明はこれらにより制限されるものではない。
実施例１
萎凋細菌病抵抗性中間母本‘カーネーション農１号’と、り病性栽培品種‘プリティファボーレ’を交配親に選定して正逆の交配を行い、抵抗性分離集団を育成した。交配法は以下の通りである。
自然交雑を防ぐために開花２〜３日前に種子親の花蕾の除雄を行い、袋がけした。除雄後４〜７日目の成熟した雌ずいに花粉親の花粉を付着させる人工授粉を行い、再び袋がけした。約２か月後に結実程度を調査し、採種を行った。得られた種子は、市販の混合用土（商品名：メトロミックス３５０）を入れた９８穴プラグトレーに播種し、室温条件下で発芽させ、約１か月後に温室内ベッドに定植して生育させた。
【００１７】
このようにして得られた抵抗性分離集団１３４系統について、萎凋細菌病の浸根接種による抵抗性検定を、カーネーションの産地の異なる病原細菌２菌株（ｉｓｏｌａｔｅ  １及びｉｓｏｌａｔｅ  ４）を用いて合計８回行った。浸根接種による検定法は次の通りである。
冷凍保存した萎凋細菌病菌を解凍し、ＰＳＡ培地（ジャガイモ３００ｇ相当のエキス，硝酸カルシウム０．５ｇ，リン酸２ナトリウム２ｇ，ポリペプトン５ｇ，ショ糖１５ｇ，寒天１６ｇを１０００ｍｌの蒸留水に溶かし、ｐＨ６．８に調整し、オートクレーブ後、固化させた培地）上に接種し、２７℃で３日間培養する。繁殖した菌の一部を、３白金耳分採取し、ＰＳ液体培地（上記のＰＳＡ培地より寒天を除いた培地）中で培養する。２７℃で３日間の振とう培養後、菌濃度が１０８ＣＦＵ／ｍｌオーダーになるように希釈して接種液とする。
供試材料の挿し芽を発根培地（砂：パーライト＝１：１）に挿し、ミスト下で発根させる。３０日後、発根苗の根を水道水で洗って発根培地を除去し、さらに根端を約１ｃｍ切除した後、根部を接種液に室温条件で３０分間浸漬して浸根接種を行う。接種後、苗を土壌消毒済みの検定ベッドに定植して、発病に好適な地温である３０℃の維持に努め、接種から９１日後（１３週後）の発病率を調査する。
【００１８】
カーネーションの葉よりＤＮＡを常法、例えばセチルトリメチルアンモニウム（ＣＴＡＢ）法［クローニングとシーケンス、ｐ２５２、１９８９、農村文化社］により抽出し、このＤＮＡ２０ｎｇを鋳型として、８００μＭのｄＮＴＰｓ、３ｐｍｏｌ  オリゴヌクレオチドプライマーおよび０．２５ｕｎｉｔ  Ｅｘ  ＴａｑＤＮＡポリメラーゼ（Ｔａｋａｒａ社製）を加え、１０μｌの反応液を作製した。
ＰＣＲ反応装置はＴａｋａｒａ社製  ＰＣＲ  Ｔｈｅｒｍａｌ  Ｃｙｃｌｅｒ  ＭＰを用い、前処理９４℃、３０秒に続き、熱変性９４℃３０秒、アニーリング４０℃１．５分、および伸長反応７２℃２．５分を４５サイクル、さらに７２℃７分の温度処理の条件で実施した。
増幅産物は、１μｇ／ｍｌのエチジウムブロミドを含む１．５％アガロースゲル中で電気泳動することにより、分析した。
【００１９】
ＰＣＲ増幅産物のうち抵抗性親‘カーネーション農１号’に特異的なものを検索し、さらにその中で後代の抵抗性系統に特異的なものを検索した。合計４６５種類のプライマーを用いて検索し、１３種類のプライマーによる１３個の増幅産物が抵抗性カーネーション選抜に有効である可能性があると判断された。
さらに、抵抗性分離集団における抵抗性の分離とこれら検索されたＰＣＲ増幅産物の有無の分離を検討したところ、プライマーＷＧ４４（配列番号２）による増幅産物１０４３ｂｐのバンドが最も抵抗性遺伝子に密接に連鎖しており、抵抗性カーネーション選抜に有効であることが判明した（図１、図２）。
【００２０】
図１は、各系統ごとに８回の接種試験の平均値を示したもので、この図から分かるように、抵抗性分離集団１３４系統におけるＲＡＰＤマーカーＷＧ４４−１０４３を有する群７６系統の平均発病率は４４．９％であり、該マーカーを有さない群５８系統の平均発病率は８０．６％であった。
図２は、ＰＣＲ増幅産物の電気泳動の結果を示す。矢印は、プライマーＷＧ４４（配列番号２）を用いて、萎凋細菌病抵抗性カーネーション‘農１号’およびその後代の抵抗性個体に特異的に増幅される１０４３ｂｐのバンドを示す。
【００２１】
ＲＡＰＤ法で得られるマーカーは、再現性にやや問題がある。そこで、ＳＴＳ（Ｓｅｑｕｅｎｃｅ  Ｔａｇｇｅｄ  Ｓｉｔｅｓ）化を行った。ＰＣＲ産物を１．５％アガロースゲル電気泳動により分離し、目的の増幅ＤＮＡ断片を切り出し、ＧＦＸ  ＰＣＲ  ＤＮＡ  ａｎｄ  Ｇｅｌ  Ｂａｎｄ  Ｐｕｒｉｆｉｃａｔｉｏｎ  Ｋｉｔ（Ａｍａｒｓｈａｍ社）を用いて精製した。Ｌｉｇａｔｉｏｎ  Ｋｉｔ（ＴａＫａＲａ社製）を用いてｐＴ７ＢｌｕｅＴベクター（Ｎｏｖａｇｅｎ社）に連結し、大腸菌ＪＭ１０９系統に形質転換を行った。ブルー・ホワイトセレクションにより約１０個のコロニーをピックアップし、さらにそのＤＮＡとプライマーＷＧ４４を用いたＰＣＲにより増幅される断片の制限酵素（Ｔａｑ  Ｉ）処理を行い、バンドパターンの観察によって目的断片がインサートされていると思われるコロニーを選抜した。
これをＬＢ液体培地で振とう培養を行い、さらにＱＩＡｐｒｅｐ  Ｓｐｉｎ  Ｍｉｎｉｐｒｅｐ  Ｋｉｔ（ＱＩＡＧＥＮ社）によりプラスミドを分離精製した。その後、Ａｐｐｌｉｅｄ  Ｂｉｏｓｙｓｔｅｍｓ社製ＤＮＡシークエンサー３７７を用いて挿入断片１０４３ｂｐの塩基配列を決定した（配列番号１）。
【００２２】
得られた塩基配列情報を基にオリゴヌクレオチドプライマーをプライマー設計プログラム（Ｐｒｉｍｅｒ  ３等）を用いて設計した。プライマーサイズは１８〜２０塩基、プライマーＴｍは５０℃、その他の条件はデフォルトとした。４４−Ｆ８０（配列番号３）、４４−Ｒ７５８（配列番号４）、４４−Ｆ２（配列番号５）、４４−Ｆ５１（配列番号６）、４４−Ｒ７５７（配列番号７）の５種類を設計し合成した。
次に、ＤＮＡ２０ｎｇを鋳型として、８００μＭのｄＮＴＰｓ、２種類の１．５ｐｍｏｌオリゴヌクレオチドプライマー（配列番号３と４、配列番号３と７、配列番号５と７、配列番号５と４、配列番号６と７）および０．２５ｕｎｉｔ  Ｅｘ  ＴａｑＤＮＡポリメラーゼ（Ｔａｋａｒａ社製）を加え、１０μｌの反応液を作製した。ＰＣＲ反応装置はＴａｋａｒａ社製ＰＣＲ  Ｔｈｅｒｍａｌ  Ｃｙｃｌｅｒ  ＭＰを用い、前処理９４℃３０秒に続き、熱変性９４℃３０秒、アニーリング５０℃３０秒、および伸長反応７２℃３０秒を３０サイクル、さらに７２℃５分の温度処理の条件で実施した。増幅産物は、１μｇ／ｍｌのエチジウムブロミドを含む１．５％アガロースゲル中で電気泳動を行った。
【００２３】
ＳＴＳ化した５つのプライマー組み合わせ（配列番号３と４、配列番号３と７、配列番号５と７、配列番号５と４、配列番号６と７）により得られる増幅産物は１本のバンドとなった。ＲＡＰＤマーカーに比較してマーカーバンドを有する個体の判別が容易となり、信頼性が向上した。１例として配列番号３と４の組み合わせによるＤＮＡバンドを示す（図３）。図中の矢印は、萎凋細菌病抵抗性カーネーション‘農１号’及びその後代の抵抗性個体に特異的に増幅されるバンド、すなわちプライマー４４−Ｆ８０（配列番号３）および４４−Ｒ７５８（配列番号４）を用いて、萎凋細菌病抵抗性カーネーション‘農１号’および抵抗性を有する個体に特異的に増幅されるＤＮＡバンドを示す。
これら５種類のＳＴＳマーカーの有無は、ＷＧ４４（配列番号２）による１０４３ｂｐのＲＡＰＤバンドの有無と完全に一致した。したがって、これらの増幅産物が萎凋細菌病抵抗性カーネーションの選抜マーカーとして有効であることが示された。
【００２４】
【発明の効果】
本発明によれば、萎凋細菌病抵抗性カーネーションの育種において、育苗段階で、かつ病原菌を使用する抵抗性検定を行わずに、予備選抜を行うことができ、個体選抜の効率の向上、労力ならびに栽培面積の削減が可能である。
【００２５】
【配列表】
2004222532.tif 000002
2004222532.tif 000003
2004222532.tif 000004
2004222532.tif 000005
2004222532.tif 000006
【図面の簡単な説明】
【図１】抵抗性分離集団１３４系統における平均発病率とＲＡＰＤマーカーＷＧ４４−１０４３の有無との関係を示す図である。
【符号の説明】黒棒はマーカーあり、白棒はマーカーなしを示す。
【図２】ＰＣＲ増幅産物の電気泳動の結果を示す。
【符号の説明】Ｎは‘農１号’を、Ｐは‘プリティファボーレ’を、１〜５は発病率２０％以下の抵抗性個体を、６〜１０は発病率９０％以上の感受性個体を示す。
【図３】ＰＣＲ増幅産物の電気泳動の結果を示す。
【符号の説明】Ｍは分子量マーカーを、Ｎは‘農１号’を、Ｐは‘プリティファボーレ’を、１〜５は発病率２０％以下の抵抗性個体を、６〜１０は発病率９０％以上の感受性個体を示す。
【図１】
2004222532.tif 000007
【図２】
2004222532.tif 000008
【図３】
2004222532.tif 000009